(57)【要約】      （修正有）【課題】入浴中に体を洗いながら体をマッサージするようことができ、部分的に損傷した場合等に当該損傷部分を部分的に交換することができ、また、複数種のマッサージ具（マッサージピース）の中から所望のものを選択して使用することができる浴用マッサージタオルを提供する。【解決手段】開閉可能なポケット２を有するタオル本体１と、ポケット２内に装脱可能に収装されるマッサージ具３とから成り、マッサージ具３は袋部を有していてその袋部にマッサージピースを内包した浴用マッサージタオルである。ポケット２は複数並設されることがある。また、マッサージ具３として、マッサージピースの種類及び／又は配置の異なる複数のものを用意しておけば、使用者が所望のものを選択して使用可能となる。マッサージピースは、例えば、合成樹脂製、ゴム製又は木製のボールとすることができる。【選択図】図１
0003149306.tif 000002
【実用新案登録請求の範囲】
【請求項１】
開閉可能なポケットを有するタオル本体と、前記ポケット内に装脱可能に収装されるマッサージ具とから成り、前記マッサージ具は袋部を有していてその袋部にマッサージピースを内包したものであることを特徴とする浴用マッサージタオル。
【請求項２】
前記ポケットは複数並設されている、請求項１に記載の浴用マッサージタオル。
【請求項３】
前記マッサージ具として、前記マッサージピースの種類及び／又は配置の異なる複数のものが用意され、使用者が所望のものを選択して前記ポケットに出し入れして使用することを可能にした、請求項１又は２に記載の浴用マッサージタオル。
【請求項４】
前記マッサージ具は、前記ポケットから取り出して独立して使用可能である、請求項１乃至３のいずれかに記載の浴用マッサージタオル。
【請求項５】
前記マッサージ具は、手挿入部を有していて、手を前記手挿入部に挿入して使用することが可能である、請求項４に記載の浴用マッサージタオル。
【請求項６】
前記マッサージピースは、合成樹脂製、ゴム製又は木製のボールである、請求項１乃至５のいずれかに記載の浴用マッサージタオル。
【請求項７】
前記マッサージ具の袋部は、開閉可能である、請求項１乃至６のいずれかに記載の浴用マッサージタオル。
【考案の詳細な説明】
【技術分野】
【０００１】
本考案は浴用マッサージタオル、より詳細には、入浴中に体を洗いながら所望の個所をマッサージすることができる浴用マッサージタオルに関するものである。
【背景技術】
【０００２】
つぼを刺激する押圧具（マッサージ具）が各種出回っており、中には入浴中に使用するものもある。しかし、それらの多くは、つぼ押し等によるマッサージ効果を得るためのものであって、それ以上のものではなく、体を洗うためには別に浴用タオルを用いることになる。また、当然のことながら、体を洗う行為とマッサージ行為とは別になる。
【０００３】
また、マッサージ具を備えたタオルも種々提案されているが、それらの場合マッサージ具は予めタオルと一体に取り付けられていて、使用者の好みに応じ、あるいは、部分的に損傷したような場合にそのマッサージ具を交換したりすることができない。
【先行技術文献】
【特許文献】
【０００４】
【特許文献１】特開２００６−３３３８７７号公報
【特許文献２】特開２００６−１９８３８６号公報
【特許文献３】実用新案登録第３０４５９８７号公報
【特許文献４】実用新案登録第３０３３１０９号公報
【特許文献５】実用新案登録第３０７４８０２号公報
【考案の概要】
【考案が解決しようとする課題】
【０００５】
上述したように、従来のマッサージ具、ないし、マッサージ具を備えたタオルの場合には、多目的に、即ち、入浴中に体を洗いながら体をマッサージするような使い方ができないだけでなく、部分的損傷等の場合に当該損傷部分を部分的に交換することができず、全体を交換せざるを得なかった。
【０００６】
そこで本考案は、入浴中に体を洗いながら体をマッサージすることができ、部分的に損傷した場合等に当該損傷部分を部分的に交換することができ、また、複数種のマッサージ具（マッサージピース）の中から所望のものを選択して使用することが可能な浴用マッサージタオルを提供することを課題とする。
【課題を解決するための手段】
【０００７】
上記課題を解決するための請求項１に記載の考案は、開閉可能なポケットを有するタオル本体と、前記ポケット内に装脱可能に収装されるマッサージ具とから成り、前記マッサージ具は袋部を有していてその袋部にマッサージピースを内包したものであることを特徴とする浴用マッサージタオルである。
【０００８】
前記ポケットは複数並設されることがある。前記マッサージ具として、前記マッサージピースの種類及び／又は配置の異なる複数のものを用意し、使用者が所望のものを選択して前記ポケットに出し入れして使用可能にすることが好ましい。
【０００９】
前記マッサージ具は、前記ポケットから取り出して独立して使用可能にすることが好ましく、その場合、前記マッサージ具に手挿入部を設けて、手を前記手挿入部に挿入して使用し得るようにすることが好ましい。前記マッサージピースは、例えば、合成樹脂製、ゴム製又は木製のボールとすることができる。また、前記マッサージ具の袋部を開閉可能にすることもある。
【考案の効果】
【００１０】
本考案に係る浴用マッサージタオルは、ポケットにマッサージ具を収納した状態で、あるいは、マッサージ具を収納することなく、一般の浴用マッサージタオルと同様にして体を洗うために用いることができ、マッサージ具をポケットに収納して使用する場合、あるいは、マッサージ具を単独で使用する場合には、体を洗いながら所望部位をマッサージすることができる効果があり、マッサージピースを交換することによりマッサージ具合を変更することができ、また、マッサージ具あるいはマッサージピースが損傷した場合は、その部分を交換して使用することが可能なる効果がある。
【図面の簡単な説明】
【００１１】
【図１】本考案に係る浴用マッサージタオルの一実施形態を示す斜視図である。
【図２】本考案に係る浴用マッサージタオルの他の実施形態を示す斜視図である。
【図３】本考案に係る浴用マッサージタオルにおけるマッサージ具の一構成例を示す斜視図である。
【図４】本考案に係る浴用マッサージタオルにおけるマッサージ具の他の構成例を示す斜視図である。
【図５】本考案に係る浴用マッサージタオルにおけるマッサージ具の更に他の構成例を示す斜視図である。
【考案を実施するための形態】
【００１２】
本考案を実施するための形態について、添付図面に依拠して詳細に説明する。本考案に係る浴用マッサージタオルは、開閉可能なポケット２を有するタオル本体１と、ポケット２内に装脱可能に収装されるマッサージ具３とから成り、マッサージ具３は袋部６を有していて、該袋部６内に適宜数のマッサージピース４を収納したものであることを特徴としている。タオル本体１の素材としては、浴用タオルとして一般に用いられているポリエステル、レーヨン、綿その他種々のものを用いることができ、その種類は特に問わない。
【００１３】
ポケット２は、例えば、１枚のタオル地を縦に二つ折りし、長さ方向中間部に適宜長さ分残して周縁を縫着し（両端部は開放しておいてもよい。）、縫い残し部の両端部から、二つ折りしたタオル地の幅方向に縫い付けることにより形成することができる。そして、好ましくは、ポケット２の開口部の縁辺に、面テープ（マジックテープ（登録商標））５等の開閉具を取り付けることとする。マッサージ具３は、この面テープ５によってポケット２を開閉してポケット２内に収装し、あるいは、取り出す。ポケット２は、同様にして複数並設することもある（図２参照）。
【００１４】
マッサージ具３は、例えば縦長に形成した袋部６を数列有していて、その袋部６にマッサージピース４を適宜数収納したものである。通例、マッサージピース４は、合成樹脂製、ゴム製又は木製の複数のボールで構成されるが、マッサージピース４の形状はこれに限られる訳ではなく、紡錘形、瓢箪形、金平糖形その他任意の形状とすることができる。但し、余り角のあるものは好ましくない。
【００１５】
マッサージピース４は、例えば、マッサージ具３に縦方向に伸びるように数列形成された袋部６内に複数ずつ収納される（図３参照）。また、袋部６を格子状に形成し、マッサージピース４を千鳥状に収納することもある（図４参照）。マッサージピース４は袋部６内において固定状態にする必要はなく、転動自在の状態であって差支えない。また、マッサージ具３の端部（袋部６の入口）を、面テープ７等の手段を介して開閉可能にすることにより、マッサージピース４を交換可能にすることもできる（図３参照）。
【００１６】
更に、マッサージ具３を単独使用可能にする実施形態においては、マッサージ具３の表面側又は裏面側に手挿入部８を設けることがある（図５参照）。その場合はマッサージ具３を、手挿入部８に手を差し入れた状態で使用することができるため、つぼ押し動作や体洗い動作が容易となる。
【００１７】
マッサージ具３として、マッサージピース４の種類及び／又は配置の異なる複数種のものを用意しておけば、使用者が所望のものを選択して購入することができ、また、使用者が複数種のマッサージ具３を保有し、使用時に所望のものを選択してポケット２に出し入れして使用することが可能となる。なお、マッサージ具３のコーナーに乳輪（リング）９を取り付けておけば、不使用時に乾燥、保管等のために、浴室内に設置したフック等に吊り下げておくことができる。
【００１８】
本考案に係る浴用マッサージタオルは、その袋部２にマッサージ具３を収納した状態にて、あるいは、マッサージ具３を収納することなく、一般の浴用マッサージタオルと同様にして体を洗うために用いる。マッサージ具３をポケット２に収納して使用する場合、あるいは、マッサージ具３を単独で使用する場合には、体を洗いながら所望部位をマッサージすることができ、また、マッサージピース４の選定によりマッサージ具合を変更することが可能となる。
【００１９】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００２０】
１    タオル本体
２    ポケット
３    マッサージ具
４    マッサージピース
５    面テープ
６    袋部
７    面テープ
８    手挿入部
９    乳輪（リング）
【図１】
0003149306.tif 000003
【図２】
0003149306.tif 000004
【図３】
0003149306.tif 000005
【図４】
0003149306.tif 000006
【図５】
0003149306.tif 000007